(57)【要約】【課題】差動信号間のスキュー調整が可能なだけでなく、コモンモードチョークコイルから出力される差動信号における各信号の波形の鈍りをも低減させるコモンモードチョークコイルの実装構造を提供する。【解決手段】コモンモードチョークコイル１をスキュー調整回路２を通じて差動伝送路３に実装した。即ち、外部電極７−１，２１，２２（７−２，２３，２４）を並列コイル５−１（５−２）の入力側引き出し電極５１ａ，５２ａ（５３ａ，５４ａ）に等間隔ｄ１（ｄ２）で接続した。ランドパターン２５，２６（２８，２９）を線路３−１（３−２）の端部３１（３２）に間隔ｄ１（ｄ２）で並設し、パターン２７（３０）で連結した。外部電極７−１，２１，２２（７−２，２３，２４）を端部３１（３２）及びランドパターン２５，２６（２８，２９）に近接させて、端部３１（２９）と外部電極７−１（２４）とを接続した。【選択図】図１
2010027999.tif 000002
【特許請求の範囲】
【請求項１】
積層体に内包された第１及び第２のコイル体を有し、各コイル体の入力側引き出し電極が積層体の前面に露出されると共に出力側引き出し電極が積層体の後面に露出され、１対の入力側外部電極が、上記第１及び第２のコイル体の入力側引き出し電極にそれぞれ電気的に接続された状態で積層体の前面外側に設けられ、１対の出力側外部電極が、上記第１及び第２のコイル体の出力側引き出し電極にそれぞれ電気的に接続された状態で積層体の後面外側に設けられたコモンモードチョークコイルを、スキュー調整回路を通じて、１対の線路で成る差動伝送路上に実装したコモンモードチョークコイルの実装構造であって、
上記スキュー調整回路を、
上記第１のコイル体の入力側引き出し電極を上記入力側外部電極が接続されている部位より第１の長さ分だけ上記前面に沿って延出させると共に、上記第２のコイル体の入力側引き出し電極を上記入力側外部電極が接続されている部位より第２の長さ分だけ上記前面に沿って延出させ、当該第１のコイル体の上記入力側外部電極とは別体の入力側副外部電極を、上記入力側引き出し電極に第１の間隔で複数並列に接続すると共に、上記第２のコイル体の上記入力側外部電極とは別体の入力側副外部電極を、上記入力側引き出し電極に第２の間隔で複数並列に接続し、
上記第１のコイル体の入力側外部電極が接続される上記差動伝送路の一方の線路の端部の横に、上記複数の入力側副外部電極と同数のランドパターンを当該複数の入力側副外部電極と対応するように上記第１の間隔で並設すると共に、上記第２のコイル体の入力側外部電極が接続される上記差動伝送路の他方の線路の端部の横に、上記複数の入力側副外部電極と同数のランドパターンを当該複数の入力側副外部電極と対応するように上記第２の間隔で並設し、
上記第１のコイル体の入力側外部電極及び複数の入力側副外部電極を、上記差動伝送路の一方の線路の端部及び当該端部の横に並設された複数の上記ランドパターンに互いに向き合うように非接触状態で近接させると共に、上記第２のコイル体の入力側外部電極及び複数の入力側副外部電極を、上記差動伝送路の他方の線路の端部及び当該端部の横に並設された複数の上記ランドパターンに互いに向き合うように非接触状態で近接させ、
上記第１のコイル体の入力側外部電極と一方の線路の端部又は所望の入力側副外部電極とこれに対向するランドパターンとを電気的に接続し、入力側副外部電極とランドパターンとを電気的に接続する際には、当該ランドパターンと上記一方の線路とをそれぞれ所定長さの第１の導電部材を通じて電気的に接続すると共に、上記第２のコイル体の入力側外部電極と他方の線路の端部又は所望の入力側副外部電極とこれに対向するランドパターンとを電気的に接続し、入力側副外部電極とランドパターンとを電気的に接続する際には、当該ランドパターンと上記他方の線路とを所定長さの第２の導電部材を通じて電気的に接続することにより、
構成した、ことを特徴とするコモンモードチョークコイルの実装構造。
【請求項２】
請求項１に記載のコモンモードチョークコイルの実装構造において、
上記第１のコイル体の入力側引き出し電極の上記第１の長さと上記第２のコイル体の入力側引き出し電極の上記第２の長さとを等しく設定する共に、当該第１のコイル体の入力側引き出し電極に並列に接続された入力側外部電極，複数の入力側副外部電極の上記第１の間隔と当該第２のコイル体の入力側引き出し電極に並列に接続された入力側外部電極，複数の入力側副外部電極の上記第２の間隔とを等しく設定した、
ことを特徴とするコモンモードチョークコイルの実装構造。
【請求項３】
請求項１に記載のコモンモードチョークコイルの実装構造において、
上記第２のコイル体の入力側引き出し電極の上記第２の長さを上記第１のコイル体の入力側引き出し電極の上記第１の長さよりも長く設定する共に、上記第２のコイル体の入力側引き出し電極に並列に接続された入力側外部電極，複数の入力側副外部電極の第２の間隔を上記第１のコイル体の入力側引き出し電極に並列に接続された入力側外部電極，複数の入力側副外部電極の上記第１の間隔よりも広く設定した、
ことを特徴とするコモンモードチョークコイルの実装構造。
【請求項４】
請求項３に記載のコモンモードチョークコイルの実装構造において、
上記第２の長さを上記第１の長さの１．５倍に設定すると共に、上記第２の間隔を上記第１の間隔の１．５倍に設定した、
ことを特徴とするコモンモードチョークコイルの実装構造。
【請求項５】
請求項１ないし請求項４のいずれかに記載のコモンモードチョークコイルの実装構造において、
上記第１の導電部材は、上記第１のコイル体の入力側引き出し電極に対して平行に上記一方の線路から延出して当該線路の端部の横に並設された複数のランドパターンの基部に連結する１本のパターンであり、
上記第２の導電部材は、上記第２のコイル体の入力側引き出し電極に対して平行に上記他方の線路から延出して当該線路の端部の横に並設された複数のランドパターンの基部に連結する１本のパターンである、
ことを特徴とするコモンモードチョークコイルの実装構造。
【請求項６】
請求項１ないし請求項４のいずれかに記載のコモンモードチョークコイルの実装構造において、
上記第１の導電部材は、上記第１のコイル体における上記所望の入力側副外部電極と向き合うランドパターンを上記一方の線路に接続するショート用チップ部品であり、
上記第２の導電部材は、上記第２のコイル体における上記所望の入力側副外部電極と向き合うランドパターンを上記他方の線路に接続するショート用チップ部品である、
ことを特徴とするコモンモードチョークコイルの実装構造。
【請求項７】
請求項１ないし請求項６のいずれかに記載のコモンモードチョークコイルの実装構造において、
上記入力側外部電極及び入力側副外部電極の下端位置を、上記コモンモードチョークコイルの下面よりも上方に設定した、
ことを特徴とするコモンモードチョークコイルの実装構造。
【発明の詳細な説明】
【技術分野】
【０００１】
この発明は、差動伝送路上のコモンモードノイズを除去するコモンモードチョークコイルの実装構造に関するものである。
【背景技術】
【０００２】
差動信号を差動伝送路に伝送する上で考慮すべき重要な要素として、ディファレンシャル波形の歪みと差動信号における各信号の波形の歪み等の他、差動信号を構成する両信号間（以下、「差動信号間」と記す）の遅延時間を示すスキューがある。
このスキューは、一般に差動信号を送信ＩＣから差動伝送路に出力する時点ですでに生じているので、送信ＩＣから受信ＩＣ間に設けられる１対のパターン間の長さの差を零にしても意味はない。これに対して、送信ＩＣの出力タイミングを合わせてパターンの長さを設定してスキューを無くす工夫をすることも考えられる。しかし、プリント基板の材料の誘電率が均一でないことから、スキューが差動信号間に発生してしまう。そして、このスキューの大きさは、送信ＩＣによって変わる性質がある。そこで、自ら回路全体のスキューを計測して、出力する差動信号間のタイミングをずらす送信ＩＣも存在しているが、高価なため、あまり普及していない。
したがって、スキューを調整するには、高価な送信ＩＣなどを用いずに、受動部品を用いるのがよい。
このような受動部品として、例えば、特許文献１に開示のコモンモードチョークコイルがある。
このコモンモードチョークコイルは、１対の磁性体基板とこれら１対の磁性体基板の間に挟まれた積層体とで構成されている。積層体は下方の磁性体基板の上面に形成された複数の絶縁体層と１対のコイル導体とこれら１対のコイル導体の端部から引き出された４つの引き出し電極とから成っている。そして、積層体の外部に形成された４つの外部電極がこれら４つの引出し電極にそれぞれ電気的に接続されている。
かかる構成により、入力側の２つの外部電極を１対の線路で成る差動伝送路にそれぞれ接続し、出力側の２つの外部電極を１対の線路に接続することで、差動伝送路上のコモンモードノイズを入力側の２つの外部電極から入力し、入力に伴うインピーダンスの増加によって、コモンモードノイズをコイル内部で除去するようになっている。
さらに、このコモンモードチョークコイルは、入力側の外部電極から入力した差動信号間のスキューを調整して、出力側の外部電極から差動伝送路に出力する機能も有している。
【０００３】
【特許文献１】特開平０８−２０３７３７号公報
【発明の開示】
【発明が解決しようとする課題】
【０００４】
しかし、上記した従来の技術では、次のような問題がある。
従来は、コモンモードチョークコイルの外部電極を差動伝送路に直接接続する実装構造を採用しているため、コモンモードチョークコイルが、差動伝送路上のコモンモードノイズを除去すると共に出力する差動信号間のスキューを調整することができるが、出力される１対の差動信号における各信号の波形が鈍ってしまうという問題がある。
【０００５】
この発明は、上述した課題を解決するためになされたもので、差動信号間のスキューの調整が可能であるだけでなく、コモンモードチョークコイルから出力される差動信号における各信号の波形鈍りの発生を防止することが可能なコモンモードチョークコイルの実装構造を提供することを目的とする。
【課題を解決するための手段】
【０００６】
上記課題を解決するために、請求項１の発明は、積層体に内包された第１及び第２のコイル体を有し、各コイル体の入力側引き出し電極が積層体の前面に露出されると共に出力側引き出し電極が積層体の後面に露出され、１対の入力側外部電極が、第１及び第２のコイル体の入力側引き出し電極にそれぞれ電気的に接続された状態で積層体の前面外側に設けられ、１対の出力側外部電極が、第１及び第２のコイル体の出力側引き出し電極にそれぞれ電気的に接続された状態で積層体の後面外側に設けられたコモンモードチョークコイルを、スキュー調整回路を通じて、１対の線路で成る差動伝送路上に実装したコモンモードチョークコイルの実装構造であって、スキュー調整回路を、第１のコイル体の入力側引き出し電極を入力側外部電極が接続されている部位より第１の長さ分だけ前面に沿って延出させると共に、第２のコイル体の入力側引き出し電極を入力側外部電極が接続されている部位より第２の長さ分だけ前面に沿って延出させ、当該第１のコイル体の入力側外部電極とは別体の入力側副外部電極を、入力側引き出し電極に第１の間隔で複数並列に接続すると共に、第２のコイル体の入力側外部電極とは別体の入力側副外部電極を、入力側引き出し電極に第２の間隔で複数並列に接続し、第１のコイル体の入力側外部電極が接続される差動伝送路の一方の線路の端部の横に、複数の入力側副外部電極と同数のランドパターンを当該複数の入力側副外部電極と対応するように第１の間隔で並設すると共に、第２のコイル体の入力側外部電極が接続される差動伝送路の他方の線路の端部の横に、複数の入力側副外部電極と同数のランドパターンを当該複数の入力側副外部電極と対応するように第２の間隔で並設し、第１のコイル体の入力側外部電極及び複数の入力側副外部電極を、差動伝送路の一方の線路の端部及び当該端部の横に並設された複数のランドパターンに互いに向き合うように非接触状態で近接させると共に、第２のコイル体の入力側外部電極及び複数の入力側副外部電極を、差動伝送路の他方の線路の端部及び当該端部の横に並設された複数のランドパターンに互いに向き合うように非接触状態で近接させ、第１のコイル体の入力側外部電極と一方の線路の端部又は所望の入力側副外部電極とこれに対向するランドパターンとを電気的に接続し、入力側副外部電極とランドパターンとを電気的に接続する際には、当該ランドパターンと一方の線路とをそれぞれ所定長さの第１の導電部材を通じて電気的に接続すると共に、第２のコイル体の入力側外部電極と他方の線路の端部又は所望の入力側副外部電極とこれに対向するランドパターンとを電気的に接続し、入力側副外部電極とランドパターンとを電気的に接続する際には、当該ランドパターンと他方の線路とを所定長さの第２の導電部材を通じて電気的に接続することにより、構成した。
かかる構成により、差動伝送路の１対の線路を伝わる差動信号間に遅延が生じている場合、即ちスキューが生じている場合に、従来の技術のように、差動伝送路の一方及び他方の線路の端部を、コモンモードチョークコイルの第１及び第２のコイル体の入力側外部電極にそれぞれ接続すると、コモンモードチョークコイルは、入力した差動信号の各信号の波形に変形を加えながらスキューを調整しようとする。このため、コモンモードチョークコイルの出力側外部電極から差動伝送路に出力される差動信号間のスキューは調整される。しかしながら、出力差動信号における各信号の波形が鈍ってしまう。
そこで、差動線路の一方の線路を伝わる信号が、他方の線路を流れる信号よりも遅延している場合には、スキュー調整回路において、例えば、第１のコイル体の入力側外部電極を一方の線路の端部に接続しておく。そして、第２のコイル体の入力側引き出し電極の部位であって当該遅延時間の約１／２の時間に対応した長さの部位に接続されている入力側副外部電極を、これに向き合うランドパターンに接続すると共にこのランドパターンを、当該遅延時間の約１／２の時間に対応した長さの第２の導電部材を通じて他方の線路に接続しておく。
これにより、差動伝送路の一方の線路を伝わる信号は、当該線路の端部から入力側外部電極を通じて第１のコイル体に直接入力する。また、他方の線路を伝わる信号は、第２の導電部材を当該遅延時間の約１／２の時間だけ流れた後、ランドパターンから入力側副外部電極に入力する。そして、この信号は、当該入力側副外部電極から入力側引き出し電極を当該遅延時間の約１／２の時間だけ流れた後、第２のコイル体に入力する。すなわち、他方の線路から第２のコイル体に入力する信号は、当該遅延時間分だけ遅れて第２のコイル体に入力する。
したがって、一方及び他方の線路の信号は、コモンモードチョークコイルの第１及び第２のコイル体に同時に入力することとなり、第１及び第２のコイル体に入力される前にスキュー調整されることとなる。この結果、コモンモードチョークコイルは、入力した差動信号の波形に変形を加えながらスキューを調整する必要がないので、コモンモードチョークコイルは、鈍りのない波形の差動信号を、出力側外部電極から差動伝送路に出力することとなる。
【０００７】
請求項２の発明は、請求項１に記載のコモンモードチョークコイルの実装構造において、第１のコイル体の入力側引き出し電極の第１の長さと第２のコイル体の入力側引き出し電極の第２の長さとを等しく設定する共に、当該第１のコイル体の入力側引き出し電極に並列に接続された入力側外部電極，複数の入力側副外部電極の第１の間隔と当該第２のコイル体の入力側引き出し電極に並列に接続された入力側外部電極，複数の入力側副外部電極の第２の間隔とを等しく設定した構成とする。
かかる構成により、第１の長さと第２の長さとを同じにし、第１の間隔と第２の間隔とを同じにしたので、遅延時間に対応した入力側副外部電極及びランドパターンの選択や第１及び第２の導電部材の長さ設定を容易に行うことができる。
【０００８】
請求項３の発明は、請求項１に記載のコモンモードチョークコイルの実装構造において、第２のコイル体の入力側引き出し電極の第２の長さを第１のコイル体の入力側引き出し電極の第１の長さよりも長く設定する共に、第２のコイル体の入力側引き出し電極に並列に接続された入力側外部電極，複数の入力側副外部電極の第２の間隔を第１のコイル体の入力側引き出し電極に並列に接続された入力側外部電極，複数の入力側副外部電極の第１の間隔よりも広く設定した構成とする。
かかる構成により、多様な遅延時間に対応したスキュー調整が可能となる。
【０００９】
請求項４の発明は、請求項３に記載のコモンモードチョークコイルの実装構造において、第２の長さを第１の長さの１．５倍に設定すると共に、第２の間隔を第１の間隔の１．５倍に設定した構成とする。
【００１０】
請求項５の発明は、請求項１ないし請求項４のいずれかに記載のコモンモードチョークコイルの実装構造において、第１の導電部材は、第１のコイル体の入力側引き出し電極に対して平行に一方の線路から延出して当該線路の端部の横に並設された複数のランドパターンの基部に連結する１本のパターンであり、第２の導電部材は、第２のコイル体の入力側引き出し電極に対して平行に他方の線路から延出して当該線路の端部の横に並設された複数のランドパターンの基部に連結する１本のパターンである構成とした。
かかる構成により、複数のランドパターンとそれらを連結するパターンとを、容易にパターン形成することができる。
【００１１】
請求項６の発明は、請求項１ないし請求項４のいずれかに記載のコモンモードチョークコイルの実装構造において、第１の導電部材は、第１のコイル体における所望の入力側副外部電極と向き合うランドパターンを一方の線路に接続するショート用チップ部品であり、第２の導電部材は、第２のコイル体における所望の入力側副外部電極と向き合うランドパターンを他方の線路に接続するショート用チップ部品である構成とした。
かかる構成により、コモンモードチョークコイルの入力側外部電極や入力側副外部電極に接続されない不要なランドパターンがスタブとして機能することを防止することができる。
【００１２】
請求項７の発明は、請求項１ないし請求項６のいずれかに記載のコモンモードチョークコイルの実装構造において、入力側外部電極及び入力側副外部電極の下端位置を、コモンモードチョークコイルの下面よりも上方に設定した構成とする。
かかる構成により、入力側外部電極及び入力側副外部電極を線路の端部やランドパターンに非接触にした状態で、コモンモードチョークコイルを差動伝送路上に載置することができる。この状態で、入力側外部電極と線路の端部又は所望の入力側副外部電極とこれに対向するランドパターンとを電気的に接続することで、不要なショートを防止することができる。
【発明の効果】
【００１３】
以上詳しく説明したように、この発明のコモンモードチョークコイルの実装構造によれば、差動信号間のスキューの調整が可能であるだけでなく、コモンモードチョークコイルから出力される差動信号の各信号における波形の鈍りの発生を防止することができるという優れた効果がある。
また、請求項２の発明によれば、遅延時間に対応した入力側副外部電極及びランドパターンの選択や第１及び第２の導電部材の長さ設定を容易に行うことができるので、実装作業の省力化を図ることができるという効果がある。
また、請求項３及び請求項４によれば、多様な遅延時間に対応したスキュー調整が可能となるので、汎用性に優れたコモンモードチョークコイルの実装構造を提供することができる。
また、請求項５の発明によれば、複数のランドパターン及びパターンを、容易にパターン形成することができるので、製造コストの低減化を図ることができる。
さらに、請求項６及び請求項７の発明によれば、スキュー調整回路を確実に機能させることができる。
【発明を実施するための最良の形態】
【００１４】
以下、この発明の最良の形態について図面を参照して説明する。
【実施例１】
【００１５】
図１は、この発明の第１実施例に係るコモンモードチョークコイルの実装構造を示す斜視図であり、図２は、図１のコモンモードチョークコイルの実装構造の分解斜視図である。
【００１６】
図１及び図２に示すように、この実施例のコモンモードチョークコイルの実装構造は、コモンモードチョークコイル１を、スキュー調整回路２を通じて、差動伝送路３上に実装した構造を成す。
【００１７】
図３は、コモンモードチョークコイル１の分解斜視図であり、図４は、図２の矢視Ａ−Ａ断面図である。
これらの図に示すように、コモンモードチョークコイル１は、磁性体基板６２が上面に貼り付けられた積層体４と、１対の入力側外部電極７−１，７−２及び１対の出力側外部電極７−３，７−４とを備えている。
【００１８】
積層体４は、図３および図４に示すように、磁性体基板６１の上に積層された絶縁層４１〜４６と導体パターン５１〜５４とで構成され、第１のコイル体としての１次側並列コイル５−１と第２コイル体としての２次側並列コイル５−２とがこの積層体４内に内包されている。
【００１９】
磁性体基板６１は、フェライト等で形成した長方形状の板体であり、その上方に、１次側並列コイル５−１と２次側並列コイル５−２とが構成されている。
１次側並列コイル５−１は、絶縁層４１，導体パターン５１，絶縁層４２，導体パターン５２，絶縁層４３を磁性体基板６１上に順に積み重ね、絶縁層４２に設けられたスルーホール４２ａを通じて、導体パターン５１，５２を電気的に接続した構造となっている。  そして、導体パターン５１，５２から引き出された入力側引き出し電極引き５１ａ，５２ａが積層体４の前面４ａに露出され、出力側引き出し電極引き５１ｂ，５２ｂが積層体４の後面４ｂに露出されている。
一方、２次側並列コイル５−２も１次側並列コイル５−１とほぼ同様であり、絶縁層４３上に、絶縁層４４，導体パターン５３，絶縁層４５，導体パターン５４，絶縁層４６を順に積み重ね、絶縁層４５に設けられたスルーホール４５ａを通じて、導体パターン５３，５４を電気的に接続した構造となっている。
そして、導体パターン５３，５４の入力側引き出し電極５３ａ５４ａが積層体４の前面４ａに露出され、出力側引き出し電極５３ｂ，５４ｂが積層体４の後面４ｂに露出されている。
【００２０】
磁性体基板６２は、磁性体基板６１と同様にフェライト等で形成された板体であり、接着層４７，４８を介して積層体４上に貼り付けられている。
【００２１】
外部電極７−１〜７−４は、図１及び図２に示すように、積層体４の前面４ａ及び後面４ｂにそれぞれ設けられている。
具体的には、図３に示すように、入力側外部電極７−１は１次側並列コイル５−１の入力側引き出し電極５１ａ，５２ａの左端Ｐ１に、入力側外部電極７−２は２次側並列コイル５−２の入力側引き出し電極５３ａ，５４ａの右端Ｐ２にそれぞれ電気的に接続されている。また、１次側並列コイル５−１の出力側外部電極７−３は出力側引き出し電極５１ｂ，５２ｂに、２次側並列コイル５−２の出力側外部電極７−４は出力側引き出し電極５３ｂ，５４ｂにそれぞれ電気的に接続されている。
【００２２】
図１に示すように、差動伝送路３は、ＨＤＭＩ（High-Definition Multimedia Interface）等の高速伝送路であり、互いに逆位相の差動信号Ｓ＋，Ｓ−をそれぞれ伝送するための１対の線路３−１，３−２で成る。
一方の線路としての線路３−１は、図２に示すように、コモンモードチョークコイル１の入力側外部電極７−１を接続するための端部３１と出力側外部電極７−３を接続するための端部３３とを有し、他方の線路としての線路３−２は、入力側外部電極７−２を接続するための端部３２と出力側外部電極７−４を接続するための端部３４とを有している。
【００２３】
スキュー調整回路２は、差動信号Ｓ＋，Ｓ−のスキュー即ち遅延時間を、差動伝送路３の１対の線路３−１，３−２からコモンモードチョークコイル１の１次側及び２次側並列コイル５−１，５−２に入力される前に調整するための回路である。
図５は、スキュー調整回路２を説明するための概略構造図である。
図５に示すように、スキュー調整回路２は、１次側及び２次側並列コイル５−１，５−２の入力側引き出し電極５１ａ（５２ａ），５３ａ（５４ａ）と、入力側外部電極７−１及び入力側副外部電極２１，２２と、入力側外部電極７−２及び入力側副外部電極２３，２４とをコモンモードチョークコイル１の入力側に有し、線路３−１の端部３１，ランドパターン２５，２６及びパターン２７と、線路３−２の端部３２，ランドパターン２８，２９及びパターン３０とを有している。
以下、スキュー調整回路２の回路構造を詳細に説明する。
【００２４】
図６は、スキュー調整回路２の回路構造を説明するための部分拡大概略図である。
図６の（ａ）及び図３に示すように、１次側並列コイル５−１の入力側引き出し電極５１ａ（５２ａ）は、積層体４の前面４ａに沿って水平な方向に延びる長尺状の電極である。具体的には、入力側引き出し電極５１ａ（５２ａ）は、入力側外部電極７−１との接続部位Ｐ１から第１の長さＬ１の分だけ水平に延出している。そして、入力側副外部電極２１，２２が、この入力側引き出し電極５１ａ（５２ａ）に第１の間隔ｄ１で並列に接続されている。
また、２次側並列コイル５−２の入力側引き出し電極５３ａ（５４ａ）も、図６の（ｂ）及び図３に示すように、積層体４の前面４ａの沿って水平な方向に延びる長尺状の電極であり、入力側外部電極７−２との接続部位Ｐ２から入力側引き出し電極５１ａ（５２ａ）側に向かって第２の長さＬ２の分だけ水平に延出している。そして、入力側副外部電極２３，２４が、この入力側引き出し電極５３ａ（５４ａ）に第２の間隔ｄ２で並列に接続されている。
【００２５】
一方、差動伝送路３側においては、図６の（ａ）に示すように、図示しないプリント基板上に形成された線路３−１の端部３１の横に、入力側副外部電極２１，２２と同数のランドパターン２５，２６が第１の間隔ｄ１で並設され、これらランドパターン２５，２６が、第１の導電部材としての１本のパターン２７によって連結されている。具体的には、入力側引き出し電極５１ａ（５２ａ）と同じ長さＬ１のパターン２７が、線路３−１からほぼ垂直に分岐し、端部３１の横に並設されたランドパターン２５，２６の基部を連結している。
また、線路３−２側においても同様に、図６の（ｂ）に示すように、上記プリント基板上に形成された線路３−２の端部３２の横に、入力側副外部電極２３，２４と同数のランドパターン２８，２９が第２の間隔ｄ２で並設され、これらランドパターン２８，２９が、第２の導電部材としての１本のパターン３０によって連結されている。具体的には、入力側引き出し電極５３ａ（５４ａ）と同じ長さＬ２のパターン３０が、線路３−２からパターン２７に向かってほぼ垂直に分岐し、端部３２の横に並設されたランドパターン２８，２９の基部を連結している。
【００２６】
そして、この実施例では、入力側引き出し電極５１ａ（５２ａ）の第１の長さＬ１と入力側引き出し電極５３ａ（５４ａ）の第２の長さＬ２とを等しく設定した。また、入力側外部電極７−１，入力側副外部電極２１，２２の間の第１の間隔ｄ１と入力側外部電極７−２，入力側副外部電極２３，２４の間の第２の間隔ｄ２とを等しく設定した。すなわち、図５に示すように、１次側並列コイル５−１の入力側引き出し電極５１ａ（５２ａ）に接続された入力側外部電極７−１及び入力側副外部電極２１，２２と、２次側並列コイル５−２の入力側引き出し電極５３ａ（５４ａ）に接続された入力側外部電極７−２及び入力側副外部電極２３，２４とが、中心線Ｍに対して線対称になるように設定されている。これに伴い、線路３−１の端部３１，ランドパターン２５，２６及びパターン２７と、線路３−２の端部３１，ランドパターン２８，２９及びパターン３０も、中心線Ｍに対して線対称になっている。
【００２７】
そして、入力側引き出し電極５１ａ（５２ａ）に接続された入力側外部電極７−１及び入力側副外部電極２１，２２が、線路３−１の端部３１及びランドパターン２５，２６に互いに向き合うように非接触状態で近接されている。また、入力側引き出し電極５３ａ（５４ａ）に接続された入力側外部電極７−２及び入力側副外部電極２３，２４も、線路３−２の端部３２及びランドパターン２８，２９に互いに向き合うように非接触状態で近接されている。
具体的には、図２に示すように、入力側外部電極７−１，７−２及び入力側副外部電極２１〜２４の下端位置Ｑを、コモンモードチョークコイル１の下面即ち磁性体基板６１の下面６１ａよりも上方に設定した。これにより、図１に示すように、コモンモードチョークコイル１を差動伝送路３の線路３−１，３−２上に載置すると、入力側外部電極７−１，７−２及び入力側副外部電極２１〜２４が差動伝送路３の端部３１，３２及びランドパターン２５，２６，２８，２９と非接触状態になる。なお、この実施例では、コモンモードチョークコイル１の上又は下を気にすることなく、実装することができるように、入力側外部電極７−１，７−２及び入力側副外部電極２１〜２４の上端位置も、コモンモードチョークコイル１の上面ち磁性体基板６２の下面６２ａよりも下方に設定した。
【００２８】
かかる状態で、コモンモードチョークコイル１側の所望の外部電極と差動伝送路３側の所望の端部又はランドパターンとが半田付けされている。
この実施例では、図１及び図５に示すように、線路３−１を伝わる信号Ｓ＋が、線路３−２を伝わる信号Ｓ−よりもＬ２（＝Ｌ１）×２の距離に対応した時間だけ遅れていると仮定して、線路３−１の端部３１と入力側外部電極７−１とが半田１００で接続されると共に、線路３−２のランドパターン２９とが半田１０１で接続されている。
【００２９】
ここで、コモンモードチョークコイル１の製造方法の一例について簡単に説明する。
コモンモードチョークコイル１は、積層工程と圧着工程とダイシング工程と焼成工程と外部電極形成工程とを実行することで製造される。
【００３０】
まず、積層工程においては、図３に示す磁性体基板６１を用意する。
磁性体基板６１としては、比透磁率４００以上で且つ厚みが０．４ｍｍ以上の磁性体基板を用いることが好ましい。なお、この実施例では、フェライトなどの磁性体基板３を用いているが、基板の材料は磁性体に限定されるものではなく、用途に応じて、誘電体や絶縁体を用いても良い。但し、基板６１の表面粗さＲａは、基板６１上に絶縁層４１〜４６や導体パターン５１〜５４を積層する際に支障がないよう、１．５μｍ以下に研磨しておくことが望ましい。
この磁性体基板６１の上に、絶縁層４１〜４６と導体パターン５１〜５４とを、フォトリソグラフィ技術を用いて交互に複数回積層して積層体４を形成する。
具体的には、ポリイミド樹脂である絶縁層４１を磁性体基板６１の上面に積層し、この絶縁層４１上に、スパッタリングや蒸着等の薄膜形成法、あるいはスクリーン印刷等の厚膜形成法といった成膜技術を用いて、Ａｇ膜層を形成する。しかる後、レジスト塗布，露光及び現像やエッチング等の一連のフォトリソグラフィ技術を用いて、第１の長さＬ１の入力側引き出し電極引き５１ａと短い出力側引き出し電極引き５１ｂとを有した導体パターン５１を形成する。
続いて、導体パターン５１上に、感光性ポリイミド樹脂を塗布し、露光及び現像を行うことで、スルーホール４２ａを有した絶縁層４２を形成する。そして、この絶縁層４２上に、導体パターン５１及び絶縁層４１と同様に、第１の長さＬ１の入力側引き出し電極引き５２ａ引き出し端子５２ａと短い出力側引き出し電極引き５２ｂを有した導体パターン５２と絶縁層４３とを順に積層することで、１次側並列コイル５−１を形成する。
しかる後、１次側並列コイル５−１の上に、１次側並列コイル５−１と同様に、絶縁層４４，４５，４６と導体パターン５３，５４とを交互に積層することで、第２の長さＬ２の入力側引き出し電極５３ａ，５４ａと短い出力側引き出し電極５３ｂ，５４ｂとを有した２次側並列コイル５−２を形成する。
これにより、積層工程が終了し、積層体４が形成される。
なお、この例では、導体パターン５１，５２，５３，５４を形成する材料として、Ａｇを用いているが、導体パターン５１，５２，５３，５４として、導電性に優れたＣｕ，Ｐｄ，Ａｌ等の金属や、これらの合金を用いることができることは勿論である。
また、絶縁層４１，４２，４３，４４，４５，４６として、ポリイミド樹脂を用いているが、絶縁層４２，４５はスルーホール４２ａ，４５ａを形成するため、感光性のポリイミド樹脂を用いる必要がある。また、絶縁層４１，４２，４３，４４，４５，４６として、ポリイミド樹脂以外に、エポキシ樹脂，ベンゾシクロプテン樹脂等の種々の樹脂材料、あるいはＳｉＯ2等のガラス、ガラスセラミックス、誘電体等を用いることができることは勿論である。
【００３１】
次に、圧着工程において、フェライト等の磁性体基板６２を用意し、熱硬化性のポリイミド樹脂の接着層４７，４８を積層体４の上面とこの磁性体基板６２の下面とにそれぞれ塗布して、磁性体基板６２を積層体４上に貼り合わせる。
かかる状態で、磁性体基板６２が貼り付けられた積層体２を、真空ホットプレス機にセットし、真空中又は不活性ガス中にて加熱しながら、磁性体基板６２を高圧で押圧することで、磁性体基板６２を積層体４上に熱圧着する。しかる後、冷却して、真空ホットプレス機の圧力を解除することで、圧着工程が終了する。
なお、このコモンモードチョークコイル１をリフロー実装する際には、最高到達温度が２６０℃前後に至ることから、接着層４７，４８として、ガラス転移温度が２７０℃以上の熱硬化性のポリイミド樹脂を用いた。
【００３２】
上記のように圧着工程を経ることで、磁性体基板６２と積層体４とが強固に接着されたマザー基板が形成されるので、ダイシング工程によって、マザー基板を小さなチップに分割する。
しかる後、バレルによってチップに面取りを施すことにより、１次側及び２次側並列コイル５−１，５−２の入力側引き出し電極引き５１ａ，５２ａ，出力側引き出し電極引き５１ｂ，５２ｂが積層体４の前面４ａ，後面４ｂにそれぞれ露出したチップを得ることができる。
【００３３】
切り出されたチップは、焼成工程において焼成された後、外部電極形成工程に移される。
外部電極形成工程においては、まず、Ａｇ含む導電性ペーストの塗布や、Ａｇのスパッタリングや蒸着等によって、入力側引き出し電極５１ａ〜５４ａ，出力側引き出し電極５１ｂ〜５４ｂに接続するように、複数のＡｇ膜を積層体４の前面４ａ，後面４ｂに成膜する。そして、このＡｇ膜上に、湿式電解メッキ等によって、Ｎｉ，Ｓｎ−Ｐｂ等の金属膜を形成する。
これにより、図１に示すように、前面４ａに入力側外部電極７−１，７−２及び入力側副外部電極２１〜２４を備え且つ後面４ｂに出力側外部電極７−３，７−４を備えたコモンモードチョークコイル１が製造される。
なお、この例では、薄膜Ａｇの上にＮｉの膜を設けて、外部電極７−１〜７−４，２１〜２４を形成するようにしたが、Ａｂ−Ｐｄ，Ｃｕ，ＮｉＣｒ又はＮｉＣｕ等の薄膜上にＮｉ，Ｓｎ−Ｐｂ等の金属膜を設けて、外部電極７−１〜７−４，２１〜２４を形成しても良い。
【００３４】
次に、この実施例のコモンモードチョークコイルの実装構造が示す作用及び効果について説明する。
図７は、差動伝送路３の線路３−１，３−２をコモンモードチョークコイル１の入力側外部電極７−１，７−２に直接接続した状態を示す概略構造図であり、図８は、この実施例の実装構造が示す作用及び効果を説明するための概略構造図である。
図７に示すように、線路３−１，３−２の端部３１，３２を入力側外部電極７−１，７−２に半田１００，１０１で直接に接続すると、従来の実装構造と同様の構造になる。
かかる構造では、線路３−１を伝わる信号Ｓ＋が、線路３−２を伝わる信号Ｓ−よりも例えば遅延時間Ｔだけ遅延している場合、即ち差動信号Ｓ＋，Ｓ−間にスキューが生じている場合に、差動信号Ｓ＋，Ｓ−が、入力側外部電極７−１，７−２との接続部位Ｐ１，Ｐ２を通じて１次側及び２次側並列コイル５−１，５−２に直接入力する。このため、信号Ｓ＋が、信号Ｓ−よりも遅延時間Ｔだけ遅れて２次側並列コイル５−２に入力することとなる。すると、コモンモードチョークコイル１は、差動信号Ｓ＋，Ｓ−の各波形に変形を加えながらスキューを調整しようとする。この結果、波形が鈍った差動信号Ｓ＋，Ｓ−が出力側外部電極７−３，７−４を通じて線路３−１，３−２に出力されてしまう。
【００３５】
そこで、この実施例の実装構造のように、差動信号の内の一方の信号Ｓ−が信号Ｓ＋の遅延時間Ｔに対応した経路を通った後、２次側並列コイル５−２に入力するような構造にしておくことで、差動信号Ｓ＋，Ｓ−が、１次側並列コイル５−１，２次側並列コイル５−２に入力する前に、差動信号Ｓ＋，Ｓ−間のスキューを調整することができる。
すなわち、図８に示すように、線路３−２のランドパターン２９と入力側副外部電極２４とを半田１０１で接続したスキュー調整回路２を構成しておく。すると、線路３−１上の信号Ｓ＋は、端部３１入力側外部電極７−１を通じて入力側外部電極７−１（１次側並列コイル５−１）との接続部位Ｐ１に入力し、線路３−２上の信号Ｓ−は、パターン２７，ランドパターン２９，入力側引き出し電極５３ａ（５４ａ）を通って、入力側外部電極７−２（２次側並列コイル５−２）との接続部位Ｐ２に入力することとなる。すなわち、信号Ｓ−は、部位Ｐ２に入力するまでに、第２の長さＬ２（＝第１の長さＬ１）の２倍の距離だけ信号Ｓ＋よりも余分に時間を費やす。この結果、差動信号Ｓ＋，Ｓ−は、部位Ｐ１，Ｐ２に同時に入力することとなり、第１及び第２のコイル体に入力される前に差動信号Ｓ＋，Ｓ−間のスキューが調整されることとなる。この結果、コモンモードチョークコイル１は、１次側及び２次側並列コイル５−１，５−２にそれぞれ入力した差動信号Ｓ＋，Ｓ−の波形に変形を加えて、スキューを調整する必要がないので、各波形に鈍りのない差動信号Ｓ＋，Ｓ−がコモンモードチョークコイル１の出力側外部電極７−３，７−４から線路３−１，３−２に出力されることとなる。
【００３６】
図９は、この実施例の他の使用例を示す概略構造図である。
上記例では、差動信号の一方の信号Ｓ＋が、第２の長さＬ２（＝第１の長さＬ１）の２倍の距離に対応する遅延時間Ｔだけ、遅れている場合について説明したが、信号Ｓ＋が、遅延時間Ｔの半分の時間だけ遅延している場合には、図９の（ａ）に示すように、線路３−２のランドパターン２８と入力側副外部電極２３とを半田１０１で接続したスキュー調整回路２を構成しておくことで、１次側及び２次側並列コイル５−１，５−２に入力させる前に差動信号Ｓ＋，Ｓ−間のスキューを調整することができる。
また、信号Ｓ−が、信号Ｓ＋よりも遅延時間Ｔだけ遅延している場合には、図９の（ｂ）に示すように、線路３−１のランドパターン２６と入力側副外部電極２２とを半田１００で接続すると共に線路３−２の端部３２と入力側外部電極７−２とを半田１０１で接続したスキュー調整回路２を構成しておくことで、差動信号Ｓ＋，Ｓ−間のスキューを調整することができる。そして、信号Ｓ−が、信号Ｓ＋よりも遅延時間Ｔの半分の時間だけ遅延の場合には、図９の（ｃ）に示すように、線路３−１のランドパターン２５と入力側副外部電極２１とを半田１００で接続したスキュー調整回路２を構成しておくことで、差動信号Ｓ＋，Ｓ−間のスキューを調整することができる。
【００３７】
以上のように、この実施例のコモンモードチョークコイルの実装構造によれば、差動信号Ｓ＋，Ｓ−間の調整を行うことができるだけでなく、コモンモードチョークコイル１から出力される差動信号Ｓ＋，Ｓ−の各信号における波形の鈍りの発生を防止することができる。
また、入力側引き出し電極引き５１ａ（５２ａ）の第１の長さＬ１と入力側引き出し電極５３ａ（５４ａ）の第２の長さＬ２とを同じに設定すると共に、入力側外部電極７−１，入力側副外部電極２１，２２の第１の間隔ｄ１と入力側外部電極７−２，入力側副外部電極２３，２４の第２の間隔ｄ２とを同じに設定したので、接続させるべき外部電極やランドパターンなどの選択を容易に行うことができ、この結果、実装作業の省力化を図ることができる。
また、線路３−１，３−２側の構造を容易に形成可能なパターン２５〜３０で形成したので、製造コストの低減化を図ることができる。
さらに、図２に示したように、入力側外部電極７−１，７−２及び入力側副外部電極２１〜２４の下端位置Ｑを、コモンモードチョークコイル１の下面よりも上方に設定して、必要な外部電極とパターンだけを接続することができるようにしたので、使用しない外部電極とパターンとの不要なショートを防止することができる。
【００３８】
発明者は、かかる効果を確認すべく、次のような実験を行った。
図１０は、差動伝送路に送られる試験用の差動信号の各波形を示す波形図であり、図１１は、差動伝送路の線路をコモンモードチョークコイルの入力側外部電極に直接接続した場合に出力された差動信号の各波形を示す波形図であり、図１２は、スキュー調整回路で差動信号間のスキューを調整した場合に出力された差動信号の各波形を示す波形図である。
この実験では、コモンモードチョークコイル１として、チップサイズが４．０ｍｍ×１．２４ｍｍ×０．８ｍｍで、コモンモードインピーダンスが９０Ωで且つディファレンシャルモードでのカットオフ周波数が６ＧＨｚのコモンモードチョークコイルを用いた。そして、入力側外部電極７−１，入力側副外部電極２１，２２の第１の間隔ｄ１（入力側外部電極７−２，入力側副外部電極２３，２４の第２の間隔ｄ２）を０．７ｍｍに設定した。
かかる条件で、図８に示すように、周波数が、３．０ＧＨｚで且つ信号Ｓ＋の遅延時間Ｔが、２５ｐｓ（ピコセコンド）の差動信号Ｓ＋，Ｓ−を線路３−１，３−２にそれぞれ伝送して、その波形を観測した。
まず、図７に示したように、差動伝送路の線路３−１，３−２をコモンモードチョークコイル１の入力側外部電極７−１，７−２に直接接続した状態で、出力側外部電極７−３，７−４から出力される差動信号Ｓ＋，Ｓ−の各波形を観測したところ、図１１に示すように、差動信号Ｓ＋，Ｓ−間のスキューは解消されているが、各信号の波形が丸く鈍ってしまった。
そこで、図８に示したように、線路３−１の端部３１と入力側外部電極７−１を接続すると共に線路３−２のランドパターン２９と入力側副外部電極２４とを接続して観測したところ、図１２に示すように、差動信号Ｓ＋，Ｓ−間のスキューが解消されており、しかも、差動信号を構成する各信号Ｓ＋（Ｓ−）の波形鈍りも改善されていた。
【００３９】
図１３は、図１０の差動信号のディファレンシャルモード成分とコモンモード成分とを示す波形図であり、図１４は、図１２の差動信号のディファレンシャルモード成分とコモンモード成分とを示す波形図である。
図１０に示した差動信号Ｓ＋，Ｓ−のディファレンシャルモード成分Ｓ（＝（Ｓ＋）−（Ｓ−））は、図１３に示すように、鈍っている。そして、そのコモンモード成分Ｎ（＝（Ｓ＋）＋（Ｓ−））には凹凸が存在し、コモンモード成分がノイズ状態になっている。これに対して、図１２に示した差動信号Ｓ＋，Ｓ−のディファレンシャルモード成分Ｓは、図１４に示すように、鈍っておらず、しかも、コモンモード成分に凹凸が存在していない。
【実施例２】
【００４０】
次に、この発明の第２実施例について説明する。
図１５は、この発明の第２実施例に係るコモンモードチョークコイルの実装構造を示す概略構造図であり、図１６は、この実施例の他の使用例を示す概略構造図である。
この実施例は、図１５に示すように、２次側並列コイル５−２の入力側引き出し電極５３ａ（５４ａ）の第２の長さＬ２を１次側並列コイル５−１の入力側引き出し電極５１ａ（５２ａ）の第１の長さＬ１よりも長く設定した。そして、線路３−２の端部３２に並設されたランドパターン２８，２９の第２の間隔ｄ２を線路３−１の端部３１に並設されたランドパターン２５，２６の第１の間隔ｄ１よりも広く設定した点が、上記第１実施例と異なる。
具体的には、第２の長さＬ２を第１の長さＬ１の１．５倍に設定すると共に、第２の間隔ｄ２も第１の間隔ｄ１の１．５倍に設定した。
これにより、図１５に示すように、線路３−１の端部３１と入力側外部電極７−１とを接続すると共に、線路３−２のランドパターン２９と入力側副外部電極２４とを接続しておくと、差動信号の一方の信号Ｓ＋が他方の信号Ｓ−よりも上記遅延時間Ｔの１．５倍の時間だけ遅延している場合においても、差動信号Ｓ＋，Ｓ−を同時に１次側及び２次側並列コイル５−１，５−２に入力させることができる。また、線路３−２のランドパターン２８と入力側副外部電極２３とを接続しておくと、信号Ｓ＋が信号Ｓ−よりも上記遅延時間Ｔの３／４倍の時間だけ遅延している場合においても対応することができる。
このように、この実施例によれば、多様な遅延時間に対応したスキュー調整が可能となる。
他の使用例としては、例えば、図１６の（ａ）に示すように、線路３−１のランドパターン２５と入力側副外部電極２１とを接続した状態で、線路３−２のランドパターン２９と入力側副外部電極２４とを接続したり、ランドパターン２８と入力側副外部電極２３とを接続しておくことで、差動信号の内の一方の信号Ｓ＋が他方の信号Ｓ−よりも上記遅延時間Ｔだけ遅延している場合や遅延時間Ｔの１／４倍の時間だけ遅延している場合にも対応することができる。
また、図１６の（ｂ）に示すように、線路３−１のランドパターン２６と入力側副外部電極２２とを接続した状態で、線路３−２のランドパターン２９と入力側副外部電極２４とを接続したり、ランドパターン２８と入力側副外部電極２３とを接続しておくことで、信号Ｓ＋が信号Ｓ−よりも上記遅延時間Ｔの１／２倍の時間だけ遅延している場合や信号Ｓ−が信号Ｓ＋よりも遅延時間Ｔの１／４倍の時間だけ遅延している場合にも対応することができる。
その他の構成、作用及び効果は、上記第１実施例と同様であるので、その記載は省略する。
【実施例３】
【００４１】
次に、この発明の第３実施例について説明する。
図１７は、この発明の第３実施例に係るコモンモードチョークコイルの実装構造を示す概略構造図である。
この実施例は、第１及び第２の導電部材として、パターンでなく、ショート用チップ部品を用いた点が、上記第１及び第２実施例と異なる。
具体的には、第１及び第２の導電部材であるショート用チップ部品２００を用いて、所望のランドパターンと線路とを接続する。例えば、図１７に示すように、入力側副外部電極２４に接続されているランドパターン２９を線路３−２に接続する場合には、２つのショート用チップ部品２００をランドパターン２８，２９の基部にそれぞれ接続する。
上記第１及び第２実施例では、ランドパターン２５，２６（２８，２９）をパターン２７（３０）で接続した構成であるので、図１に示すように、使用していないランドパターン２５，２６やランドパターン２８が、スタブとして機能し、差動信号Ｓ＋，Ｓ−の各波形を歪ませる原因となる。
したがって、この実施例のように、パターン２７，３０の代わりにショート用チップ部品２００を用いることで、接続されない不要なランドパターンがスタブとして機能することを防止することができる。
その他の構成、作用及び効果は、上記第１及び第２実施例と同様であるので、その記載は省略する。
【００４２】
なお、この発明は、上記実施例に限定されるものではなく、発明の要旨の範囲内において種々の変形や変更が可能である。
例えば、上記実施例では、１次側並列コイル５−１（２次側並列コイル５−２）の入力側副外部電極２１，２２（２３，２４）を２つ設け、これに対応させて、線路３−１（３−２）のランドパターン２５，２６（２８，２９）を２つ設けたが、入力側副外部電極やランドパターンの数は、任意であり、コモンモードチョークコイル１の大きさなどを考慮して適宜設定することができる。
また、上記実施例では、第１のコイル体としての１次側並列コイル５−１と第２コイル体としての２次側並列コイル５−２とを有したコモンモードチョークコイル１を例示したが、特許文献１に開示されているコモンモードチョークコイルのように、１次側並列コイル（２次側並列コイル）のように並列なコイルでない第１のコイル体（第２コイル体）を有したコモンモードチョークコイルを実装する構造のものも、この発明の範囲に含まれることは勿論である。
【図面の簡単な説明】
【００４３】
【図１】この発明の第１実施例に係るコモンモードチョークコイルの実装構造を示す斜視図である。
【図２】図１のコモンモードチョークコイルの実装構造の分解斜視図である。
【図３】コモンモードチョークコイルの分解斜視図である。
【図４】図２の矢視Ａ−Ａ断面図である。
【図５】スキュー調整回路を説明するための概略構造図である。
【図６】スキュー調整回路の回路構造を説明するための部分拡大概略図である。
【図７】差動伝送路の線路をコモンモードチョークコイルの入力側外部電極に直接接続した状態を示す概略構造図である。
【図８】この実施例の実装構造が示す作用及び効果を説明するための概略構造図である。
【図９】この実施例の他の使用例を示す概略構造図である。
【図１０】差動伝送路に送られる試験用の差動信号の各波形を示す波形図である。
【図１１】差動伝送路の線路をコモンモードチョークコイルの入力側外部電極に直接接続した場合に出力された差動信号の各波形を示す波形図である。
【図１２】スキュー調整回路で差動信号間のスキューを調整した場合に出力された差動信号の各波形を示す波形図である。
【図１３】図１０の差動信号のディファレンシャルモード成分とコモンモード成分とを示す波形図である。
【図１４】図１２の差動信号のディファレンシャルモード成分とコモンモード成分とを示す波形図である。
【図１５】この発明の第２実施例に係るコモンモードチョークコイルの実装構造を示す概略構造図である。
【図１６】この実施例の他の使用例を示す概略構造図である。
【図１７】この発明の第３実施例に係るコモンモードチョークコイルの実装構造を示す概略構造図である。
【符号の説明】
【００４４】
１…コモンモードチョークコイル、  ２…スキュー調整回路、  ３…差動伝送路、  ３−１，３−２…線路、  ４…積層体、  ４ａ…前面、  ４ｂ…後面、  ５−１…１次側並列コイル、  ５−２…２次側並列コイル、  ７−１，７−２…入力側外部電極、  ７−３，７−４…出力側外部電極、  ２１〜２４…入力側副外部電極、  ２５，２６，２８，２９…ランドパターン、  ２７，３０…パターン、  ３１〜３４…端部、  ４１〜４６…絶縁層、  ４２ａ，４５ａ…スルーホール、  ４７，４８…接着層、  ５１〜５４…導体パターン、  ５１ａ〜５４ａ…入力側引き出し電極、  ５１ｂ〜５４ｂ…出力側引き出し電極、  ６１，６２…磁性体基板、  ６１ａ…下面、  １００，１０１…半田、  ２００…ショート用チップ部品、  Ｌ１…第１の長さ、  Ｌ２…第２の長さ、  Ｐ１，Ｐ２…接続部位、  Ｑ…下端位置、  Ｓ＋，Ｓ−…差動信号、  Ｔ…遅延時間、  ｄ１…第１の間隔、  ｄ２…第２の間隔。
【図１】
2010027999.tif 000003
【図２】
2010027999.tif 000004
【図３】
2010027999.tif 000005
【図４】
2010027999.tif 000006
【図５】
2010027999.tif 000007
【図６】
2010027999.tif 000008
【図７】
2010027999.tif 000009
【図８】
2010027999.tif 000010
【図９】
2010027999.tif 000011
【図１０】
2010027999.tif 000012
【図１１】
2010027999.tif 000013
【図１２】
2010027999.tif 000014
【図１３】
2010027999.tif 000015
【図１４】
2010027999.tif 000016
【図１５】
2010027999.tif 000017
【図１６】
2010027999.tif 000018
【図１７】
2010027999.tif 000019